(57)【要約】【課題】ＷＥＢサーバにユーザ端末からアクセスして、年賀状等の各種送り状を作成することにより、様々な送り状を作成することができ、発送までの煩雑の作業を簡略化することができるＷＥＢリアルタイム組版システムを提供する。【解決手段】本発明に係るＷＥＢリアルタイム組版システムは、ＷＥＢサーバと、ＤＢサーバと、ユーザ端末と、からなり、ユーザー端末で作成した画像作成情報をＷＥＢサーバに送信する画像作成指示手段と、画像作成情報を基にＤＢサーバに蓄積しユーザ端末に画像ＩＤ等を送信する結果送信手段と、ユーザ端末から画像ＩＤ等をＷＥＢサーバに送信、認証させ画像を出力する画像出力手段と、画像作成情報を編集する編集手段と、請求書当の決済を行う決済手段と、画像作成情報と注文数等を格納する格納手段と、画像作成情報及び注文数により印刷する印刷手段と、印刷物を梱包、発送する梱包発送手段と、からなる構成である。【選択図】  図１
2007102302.tif 000002
【特許請求の範囲】
【請求項１】
公衆回線網に接続されているネットワーク回線に接続されたＷＥＢサーバと、該ＷＥＢサーバと接続するＤＢサーバと、公衆回線網に接続されたユーザ端末と、からなり、
ＷＥＢリアルタイム組版システムが、
前記ユーザ端末で作成した、背景画像や装飾データの選択値、住所、姓名、文字サイズ及び文字装飾の編集値、画像解像度と、からなる画像作成情報をユーザ端末によりＷＥＢサーバに送信する画像作成指示手段と、
前記画像作成指示手段の画像作成情報を基に、自動組版プログラムと、画像作成プログラムにより画像を作成し、作成結果をＤＢサーバに送信して画像データを蓄積し、さらに、この画像データに関連付けられた画像ＩＤ、パスワード、及びエラーコード、はがきフラグ、印刷面フラグのいずれかを組み合わせてユーザ端末に送信する結果送信手段と、
前記結果送信手段で、ユーザ端末が入手した画像ＩＤ及びパスワードをＷＥＢサーバに送信することにより、ＷＥＢサーバが画像ＩＤ及びパスワードと合致する画像データをＤＢサーバから検索し、さらに、背景画像をＷＥＢサーバから取得し前記画像データと合成してユーザ端末に出力する画像出力手段と、
前記画像データを基に、ユーザ端末で、背景画像や装飾データの選択値、住所、姓名、文字サイズ及び文字装飾の編集値、画像解像度、注文数を選択し決定する編集手段と、
前記編集手段で決定された画像データを基にＷＥＢサーバが、背景画像や装飾データの選択値、住所、姓名、文字サイズ及び文字装飾の編集値、画像解像度、注文数より請求書を発行しつつ、画像データをＤＢサーバに送信する決済手段と、
前記決済手段でＷＥＢサーバから送信された画像データ、背景画像や装飾データの選択値、住所、姓名、文字サイズ及び文字装飾の編集値、画像解像度、注文数をＤＢサーバに格納する格納手段と、
前記格納手段で格納された画像データ、及び、背景画像や装飾データの選択値、住所、姓名、文字サイズ及び文字装飾の編集値、画像解像度、注文数をプリンターサーバ、および／またはプリンタに送信し印刷する印刷手段と、
前記印刷手段により印刷された印刷物をユーザ端末から申し込まれた住所に送るために、自動梱包する梱包発送手段と、
からなることを特徴とするＷＥＢリアルタイム組版システム
【発明の詳細な説明】
【技術分野】
【０００１】
本発明は、年賀状や各種お知らせ等を作成する組版システムに関し、特に公衆回線網を利用して、ＷＥＢサーバ及びＤＢサーバにより、ユーザ端末から入力及び編集、さらには発送までを自動処理できるＷＥＢリアルタイム組版システムに関する。
【背景技術】
【０００２】
年賀状や各種の通知、送り状などを作成し送り出すに当たって、近年ではパーソナルコンピュータの機能の向上および値段の安さによる普及により、各個人が自分のコンピュータを操作して独自に発送することが多くなっている。特に、年賀状専用のアプリケーションや、送り状専用のアプリケーションが市販されており、データを自分で作成し、葉書等にプリントアウトをして発送していることが多い。
【０００３】
しかし、年賀状専用のアプリケーション等は、各年干支等のデータが毎年更新されるので、その都度、アップデート用のアプリケーションを買わなくてはならないという煩雑さがあった。また、送り状専用のアプリケーションも、データ数に限界があり、同じレイアウトでしか作成できない欠点があった。さらに、プリンタにより出力するため、かなりのインクの量を必要とし、インクが足りなくなって買いに行かなければならないこともあった。
そこで、インターネット等の公衆回線網を利用して、ユーザ端末からＷＥＢサーバに接続し、常に新しい年賀状等を作成及び発送および希望によって大量の印刷も可能なシステムの開発が待たれていた。
【特許文献１】特開２００１−１１７９８０号
【発明の開示】
【発明が解決しようとする課題】
【０００４】
上記問題を解決するため、本発明に係るＷＥＢリアルタイム組版システムは、常にデータが更新されるＷＥＢサーバにユーザ端末からアクセスして、年賀状等の各種送り状を作成することにより、様々な送り状を作成することができ、又、印刷及び発送手段をＷＥＢサーバとＤＢサーバによりユーザ端末側で行う必要がないため、プリンタの能力等を心配する必要がなく、発送までの煩雑の作業を簡略化することができるＷＥＢリアルタイム組版システムを提供する事を目的としている。
【課題を解決するための手段】
【０００５】
本発明に係るＷＥＢリアルタイム組版システムは、公衆回線網に接続されているネットワーク回線に接続されたＷＥＢサーバと、該ＷＥＢサーバと接続するＤＢサーバと、公衆回線網に接続されたユーザ端末と、からなり、ＷＥＢリアルタイム組版システムが、前記ユーザ端末で作成した、背景画像や装飾データの選択値、住所、姓名、文字サイズ及び文字装飾の編集値、画像解像度と、からなる画像作成情報をユーザ端末によりＷＥＢサーバに送信する画像作成指示手段と、前記画像作成指示手段の画像作成情報を基に、自動組版プログラムと、画像作成プログラムにより画像を作成し、作成結果をＤＢサーバに送信して画像データを蓄積し、さらに、この画像データに関連付けられた画像ＩＤ、パスワード、及びエラーコード、はがきフラグ、印刷面フラグのいずれかを組み合わせてユーザ端末に送信する結果送信手段と、前記結果送信手段で、ユーザ端末が入手した画像ＩＤ及びパスワードをＷＥＢサーバに送信することにより、ＷＥＢサーバが画像ＩＤ及びパスワードと合致する画像データをＤＢサーバから検索し、さらに、背景画像をＷＥＢサーバから取得し前記画像データと合成してユーザ端末に出力する画像出力手段と、前記画像データを基に、ユーザ端末で、背景画像や装飾データの選択値、住所、姓名、文字サイズ及び文字装飾の編集値、画像解像度、注文数を選択し決定する編集手段と、前記編集手段で決定された画像データを基にＷＥＢサーバが、背景画像や装飾データの選択値、住所、姓名、文字サイズ及び文字装飾の編集値、画像解像度、注文数より請求書を発行しつつ、画像データをＤＢサーバに送信する決済手段と、前記決済手段でＷＥＢサーバから送信された画像データ、背景画像や装飾データの選択値、住所、姓名、文字サイズ及び文字装飾の編集値、画像解像度、注文数をＤＢサーバに格納する格納手段と、前記格納手段で格納された画像データ、及び、背景画像や装飾データの選択値、住所、姓名、文字サイズ及び文字装飾の編集値、画像解像度、注文数をプリンターサーバ、および／またはプリンタに送信し印刷する印刷手段と、前記印刷手段により印刷された印刷物をユーザ端末から申し込まれた住所に送るために、自動梱包する梱包発送手段と、からなる構成である。
【発明の効果】
【０００６】
以上詳述した通り、本発明に係るＷＥＢリアルタイム組版システムは、
１．公衆回線網を通じてＷＥＢサーバにアクセスし、準備されている最新のデータを利用しながら送り状等の必要書類を作成することができる。また、作成したデータはＷＥＢサーバ及びＤＢサーバにより印刷から発送までを自動的に処理することができる。
【発明を実施するための最良の形態】
【０００７】
以下に、本発明に係るＷＥＢリアルタイム組版システムを図面に示す実施例により説明する。図１は本発明のＷＥＢリアルタイム組版システムの構成図であり、図２は本発明のＷＥＢリアルタイム組版システムの処理を示すフローチャートである。
本発明のＷＥＢリアルタイム組版システム１０は、ユーザ端末２０と、ＷＥＢサーバ３０と、ＤＢサーバ４０と、プリンタ５０とからなる。
【０００８】
ユーザ端末２０は、公衆回線網２２に接続されたコンピュータ端末であり、この実施例ではインターネットに接続されている。ユーザ端末の機種性能等に限定はなく、例えばＰＤＡや、インターネットに接続できる携帯電話を利用することも考えられる。
ＷＥＢサーバ３０は公衆回線網に接続されているサーバマシンであり、この実施例ではインターネットに接続されている。また、ＤＢサーバとネットワークを介して接続されており、この実施例では、ＷＥＢサーバとＤＢサーバが別のマシンにより構成されているが、ＷＥＢサーバとＤＢサーバを内包する一つのマシンにより稼動させることも可能である。
【０００９】
ＤＢサーバ４０は、ＷＥＢサーバ３０とネットワークを介して接続しているマシンであり、様々なデータを格納できるようデータベースを装備している。
【００１０】
プリンタ５０は、この実施例ではＷＥＢサーバ３０およびＤＢサーバ４０とネットワークを介して接続されている。プリンタ５０の装置自体の機種または性能に制限はなく、ネットワーク上にプリンタサーバを配置してプリンタを接続する構成としてもよい。
【００１１】
次に、本件発明の各処理手段を詳細に説明する。
画像作成指示手段６０は、インターネットに接続されているユーザ端末２０からＷＥＢサーバ３０にアクセスし、ＷＥＢサーバによりブラウザ等のアプリケーションにより表示されたレイアウトから、画像作成情報６２を作成する。画像作成情報６２は主に背景画像や装飾データの選択値、住所、姓名、文字サイズ及び文字装飾の編集値、画像解像度等を含む情報であり、これらをユーザ端末必要に応じて組み合わせてＷＥＢサーバに送信する。
【００１２】
結果送信手段７０は、ユーザ端末２０から送信された画像作成情報６２を基に、自動組版プログラムと、画像作成プログラムとにより、ユーザ端末２０からの指示で作成、表示されたレイアウトと同一となる画像をＤＢサーバ４０に送信する。次に、送信された画像データを、画像ＩＤと関連付けてＤＢサーバ４０に蓄積し、さらに画像ＩＤと関連付けたパスワードを発行し、ユーザ端末に画像ＩＤ、パスワード、エラーコード、はがきフラグ、印刷面フラグのいずれかの組み合わせが送信される。
【００１３】
画像出力手段８０は、結果送信手段７０でユーザ端末２０に送信された画像ＩＤ及びパスワードを、ユーザ端末２０からＷＥＢサーバ３０に送信、認証させることにより、ＷＥＢサーバ３０が画像ＩＤ及びパスワードと合致する画像データをＤＢサーバ４０から検索し、さらに背景画像をＷＥＢサーバから取得し、画像データと合成してユーザ端末２０に出力する。
【００１４】
編集手段９０は、画像データを基に、ユーザ端末２０で背景画像や装飾データの選択値、住所、姓名、文字サイズ及び文字装飾の編集値、画像解像度、を確認し、決定であるならば注文数を確定する。若しくは、画像データを交換することを希望する場合は、画像作成手段６０まで戻って作業を繰り返すことが可能である。
【００１５】
決済手段１００は、編集手段９０で決定された画像データを基にＷＥＢサーバ３０が背景画像や装飾データの選択値、住所、姓名、文字サイズ及び文字装飾の編集値、画像解像度とからなる画像作成情報６２と注文数から自動的に請求書を発行する。決定した画像データは、ＷＥＢサーバ３０がＤＢサーバ４０に送信する。
【００１６】
格納手段１１０は、決済手段１００でＷＥＢサーバ３０から送信された画像データ、及び、背景画像や装飾データの選択値、住所、姓名、文字サイズ及び文字装飾の編集値、画像解像度とからなる画像作成情報６２と注文数をＤＢサーバ４０に格納する。格納されたデータはデータベースとして格納されており、画像ＩＤ毎に区分されて格納されている。また、他のデータ毎に区分されて格納する方法であってもよい。
【００１７】
印刷手段１２０は、ＤＢサーバ４０から、格納手段で格納された画像データ、及び、背景画像や装飾データの選択値、住所、姓名、文字サイズ及び文字装飾の編集値、画像解像度とからなる画像作成情報６２と注文数をプリンタサーバおよび／またはプリンタに送信する。この実施例ではプリンタサーバを使用しており、プリンタサーバからプリンタ５０へデータが送信される。送信されたデータは、プリンタ５０により画像作成情報６２を基にあらかじめ設定された注文数に応じた枚数を自動印刷する。
【００１８】
梱包発送手段１３０は、ユーザ端末２０から申し込まれたて、データとして蓄積された住所を完成した発送物に印刷し、発送物を自動梱包して発送する手段である。この自動梱包は、一般的に製造されている自動梱包システムを利用することができるもので特に限定はない。
【００１９】
本発明のＷＥＢリアルタイム組版システム１０は、画像作成指示手段６０、結果送信手段７０、画像出力手段８０、編集手段９０、決済手段１００、格納手段１１０、印刷手段１２０、梱包発送手段１３０を全てユーザ端末２０、ＷＥＢサーバ３０、ＤＢサーバ４０、プリンタ５０による構成で自動的に行なうことができる。データの作成及び入力の際には、ユーザ端末２０からデータを選択及び入力する以外は、全てＷＥＢサーバ３０とＤＢサーバ４０によるデータ処理で自動的に加工および格納され、最終的に印刷物の梱包まで一括して処理が行われる。
【００２０】
この実施例における住所録については特に限定はないが、ユーザ端末より住所録データをＷＥＢサーバに送信し、ＤＢサーバで格納して自動処理によりプリンタで印刷することにより、宛名が印字された印刷物を提供することも可能である。特に、年賀状や送り状等、大量の送り出しが必要なものについては利便性が高いシステムである。
また、従来は各個人で各年度毎に専用アプリケーションを購入し、作成、印刷を行っていた煩雑な手続が、本発明のＷＥＢリアルタイム組版システムにより、アプリケーションを購入しなくてもＷＥＢサーバにアクセスして作業を行うだけで、印刷物のレイアウトから印刷まで自動処理を行うことができ、さらには、ＷＥＢサーバの画像作成情報に関するデータはいつでも更新可能なため、ユーザには最新のデータを提供することが可能となった。
【図面の簡単な説明】
【００２１】
【図１】本発明のＷＥＢリアルタイム組版システムの構成図
【図２】本発明のＷＥＢリアルタイム組版システムの処理を示すフローチャート
【符号の説明】
【００２２】
１０    ＷＥＢリアルタイム組版システム
２０    ユーザ端末
２２    公衆回線網
３０    ＷＥＢサーバ
４０    ＤＢサーバ
５０    プリンタ
６０    画像作成指示手段
６２    画像作成情報
７０    結果送信手段
８０    画像出力手段
９０    編集手段
１００  決済手段
１１０  格納手段
１２０  印刷手段
１３０  梱包発送手段
【図１】
2007102302.tif 000003
【図２】
2007102302.tif 000004